(57)【要約】  【課題】  外部装置からのアクセスが禁止されている記憶領域におけるデータ管理を確実に行なうことが可能な記憶装置及び記憶方法を提供する。  【解決手段】  音楽プレーヤ１は、外部のＰＣから音楽データをダウンロードする場合、ＵＳＢインタフェース１６から取得した音楽データを、ＨＤＤ１７によって一旦ＨＤ１８の第１記憶領域１８ａに記憶させる。制御部１０は、ＵＳＢインタフェース１６に接続されたＵＳＢケーブルを介したＰＣとの接続が切断されたか否かを判断しており、ＰＣとの接続が切断されたことを検知した場合、この時点でＨＤ１８の第１記憶領域１８ａにダウンロードされた各音楽データがＭＰ３フォーマットであるか否かを判断する。また、制御部１０は、第１記憶領域１８ａにダウンロードされた音楽データがＭＰ３フォーマットである場合に、この音楽データをＨＤＤ１７によって第２記憶領域１８ｂにコピーする。【選択図】      図１
2006227920.tif 000002
【特許請求の範囲】
【請求項１】
データを記憶する記憶手段と、外部装置との接続を行ない、外部装置からの前記記憶手段へのアクセスを受け付ける接続部とを備え、該接続部が受け付けたアクセスに従って前記記憶手段に対してデータの読み書きを行なう記憶装置において、
前記記憶手段は、第１記憶領域及び外部装置からのアクセスが不可能な第２記憶領域を有しており、
前記接続部を介して外部装置からデータを取得する取得手段と、
該取得手段が取得したデータを前記第１記憶領域に記憶させる処理を行なう第１記憶処理手段と、
該第１記憶処理手段によって第１記憶領域に記憶されたデータを前記第２記憶領域に記憶させる処理を行なう第２記憶処理手段と
を備えることを特徴とする記憶装置。
【請求項２】
前記記憶手段を複数備え、
前記第１記憶領域及び前記第２記憶領域は、各別の記憶手段の記憶領域であることを特徴とする請求項１に記載の記憶装置。
【請求項３】
前記第２記憶領域に記憶可能なデータであるか否かを示す判断基準を記憶する手段と、
前記第１記憶処理手段によって第１記憶領域にデータが記憶された場合、該データが第２記憶領域に記憶可能であるか否かを前記判断基準に基づいて判断する手段とを備え、
前記第２記憶処理手段は、前記データが第２記憶領域に記憶可能であると判断された場合、前記データを第２記憶領域に記憶させる処理を行なうように構成してあることを特徴とする請求項１又は２に記載の記憶装置。
【請求項４】
前記接続部を介した外部装置との接続状態を検知する検知手段を備え、
前記第２記憶処理手段は、前記検知手段によって外部装置との切断が検知された場合、前記第１記憶領域に記憶されたデータを第２記憶領域に記憶させる処理を行なうように構成してあることを特徴とする請求項１乃至３のいずれかひとつに記載の記憶装置。
【請求項５】
前記第２記憶領域に記憶してあるデータに係る情報を記憶する情報記憶手段と、
前記第２記憶処理手段がデータを第２記憶領域に記憶させた場合、該データに係る情報を前記情報記憶手段に記憶させる処理を行なう手段と
を備えることを特徴とする請求項１乃至４のいずれかひとつに記載の記憶装置。
【請求項６】
データを記憶する記憶手段と、外部装置との接続を行ない、外部装置からの前記記憶手段へのアクセスを受け付ける接続部とを備える記憶装置が、前記接続部が受け付けたアクセスに従って前記記憶手段に対してデータの読み書きを行なう記憶方法において、
前記記憶手段は、第１記憶領域及び外部装置からのアクセスが不可能な第２記憶領域を有しており、
前記記憶装置が、前記接続部を介して外部装置からデータを取得するステップと、
前記記憶装置が、取得したデータを前記第１記憶領域に記憶させる処理を行なうステップと、
前記記憶装置が、前記接続部を介した外部装置との接続状態を検知するステップと、
前記記憶装置が、外部装置との切断を検知した場合、前記第１記憶領域に記憶されたデータを前記第２記憶領域に記憶させるステップと
を含むことを特徴とする記憶方法。
【発明の詳細な説明】
【技術分野】
【０００１】
本発明は、データを記憶する記憶手段を備え、外部装置からのアクセスに従って前記記憶手段に対してデータの読み書きを行なう記憶装置及び記憶方法に関する。
【背景技術】
【０００２】
大容量のハードディスクを内蔵した携帯型音楽プレーヤが普及しており、携帯型ＣＤプレーヤ又は携帯型ＭＤプレーヤ等と同様に利用されている。このような携帯型音楽プレーヤは、例えばＵＳＢ（Universal Serial Bus）ケーブルを介してパーソナルコンピュータ（以下、ＰＣという）に接続できるように構成されている（例えば、特許文献１参照）。従って、音楽データを保存しているＰＣが、音楽データを例えばＭＰ３（MPEG Audio Layer-III）フォーマットに圧縮してＵＳＢケーブルを介して携帯型音楽プレーヤへダウンロードすることができる。これにより、ＰＣに保存してある音楽データをＰＣで再生できるだけでなく、携帯型音楽プレーヤによって外出先においても再生させることができる。
【０００３】
上述したような携帯型音楽プレーヤは、音楽データと共に、各音楽データのアーティスト及びジャンル等の音楽情報も記憶しており、ユーザが音楽データを再生させる際に、アーティスト又はジャンル等に基づいて再生させる音楽データを選択できるように構成されている。
【特許文献１】特開２００４−１９２２９９号公報
【発明の開示】
【発明が解決しようとする課題】
【０００４】
ここで、上述した携帯型音楽プレーヤがＵＳＢケーブルを介してＰＣに接続された場合、ＰＣは、携帯型音楽プレーヤに内蔵されたハードディスク内の全ての領域に自由にアクセスできる場合が多い。従って、ＰＣが、ＵＳＢケーブルを介して携帯型音楽プレーヤのハードディスクに対して音楽データの追加、削除又は音楽情報の変更等を行なった場合、携帯型音楽プレーヤのハードディスクに記憶してある音楽データと、各音楽データに対応する音楽情報とが一致しなくなる。この場合、音楽データを再生させる際に、アーティスト、ジャンル等に基づいた音楽データの選択を行なうことが不可能になるという問題を有している。
【０００５】
本発明は斯かる事情に鑑みてなされたものであり、その目的とするところは、外部装置から全ての記憶領域へのアクセスを可能としないことにより、外部装置からのアクセスが禁止されている記憶領域におけるデータ管理を確実に行なうことが可能な記憶装置及び記憶方法を提供することにある。
【０００６】
本発明の他の目的は、外部装置からのアクセスが可能な記憶領域と、外部装置からのアクセスが不可能な記憶領域とに対するデータの読み書きをそれぞれ独立して行なうように構成することにより、各記憶領域内のデータの信頼性を向上させることが可能な記憶装置を提供することにある。
【０００７】
更に、本発明の他の目的は、外部装置からのアクセスが不可能な記憶領域に記憶可能なデータを制限することにより、この記憶領域内のデータ管理の信頼性を向上させることが可能な記憶装置を提供することにある。
【課題を解決するための手段】
【０００８】
本発明に係る記憶装置は、データを記憶する記憶手段と、外部装置との接続を行ない、外部装置からの前記記憶手段へのアクセスを受け付ける接続部とを備え、該接続部が受け付けたアクセスに従って前記記憶手段に対してデータの読み書きを行なう記憶装置において、前記記憶手段は、第１記憶領域及び外部装置からのアクセスが不可能な第２記憶領域を有しており、前記接続部を介して外部装置からデータを取得する取得手段と、該取得手段が取得したデータを前記第１記憶領域に記憶させる処理を行なう第１記憶処理手段と、該第１記憶処理手段によって第１記憶領域に記憶されたデータを前記第２記憶領域に記憶させる処理を行なう第２記憶処理手段とを備えることを特徴とする。
【０００９】
本発明によれば、記憶手段にデータを記憶しており、外部装置から前記記憶手段へのアクセスを受け付けた場合、受け付けたアクセスに従って前記記憶手段に対してデータの読み書きを行なう記憶装置が、前記記憶手段に外部装置からのアクセスが可能な第１記憶領域と、外部装置からのアクセスが不可能な第２記憶領域とを設けている。そして、外部装置からデータを取得した場合、取得したデータを第１記憶領域に一旦記憶させた後に、第１記憶領域から第２記憶領域にコピーする。このように、外部装置からの第２記憶領域へのアクセスを禁止することにより、第２記憶領域内のデータを確実に管理することが可能となる。
【００１０】
本発明に係る記憶装置は、前記記憶手段を複数備え、前記第１記憶領域及び前記第２記憶領域は、各別の記憶手段の記憶領域であることを特徴とする。
【００１１】
本発明によれば、外部装置からのアクセスが可能な第１記憶領域と、外部装置からのアクセスが不可能な第２記憶領域とを、それぞれ異なる記憶手段とする。よって、第１記憶領域に対するデータの読み書きと、第２記憶領域に対するデータの読み書きとをそれぞれ独立して行なうことができるので、第１記憶領域及び第２記憶領域におけるデータ管理の信頼性を向上させることが可能となる。
【００１２】
本発明に係る記憶装置は、前記第２記憶領域に記憶可能なデータであるか否かを示す判断基準を記憶する手段と、前記第１記憶処理手段によって第１記憶領域にデータが記憶された場合、該データが第２記憶領域に記憶可能であるか否かを前記判断基準に基づいて判断する手段とを備え、前記第２記憶処理手段は、前記データが第２記憶領域に記憶可能であると判断された場合、前記データを第２記憶領域に記憶させる処理を行なうように構成してあることを特徴とする。
【００１３】
本発明によれば、外部装置からのアクセスが不可能な第２記憶領域に記憶可能なデータであるか否かを示す判断基準を記憶しており、外部装置から取得したデータが第１記憶領域に記憶された場合、該データが第２記憶領域に記憶可能であるか否かを前記判断基準に基づいて判断する。また、前記データが第２記憶領域に記憶可能である場合にのみ、前記データを第２記憶領域に記憶させることにより、外部装置からアクセスできない第２記憶領域に記憶できるデータを制限することが可能となる。
【００１４】
本発明に係る記憶装置は、前記接続部を介した外部装置との接続状態を検知する検知手段を備え、前記第２記憶処理手段は、前記検知手段によって外部装置との切断が検知された場合、前記第１記憶領域に記憶されたデータを第２記憶領域に記憶させる処理を行なうように構成してあることを特徴とする。
【００１５】
本発明によれば、外部装置との接続状態を検知しており、外部装置との切断が検知された場合にのみ第１記憶領域に記憶されたデータを第２記憶領域に記憶させる。よって、外部装置からのアクセスが可能な第１記憶領域に対するデータの読み書きが確実に終了した場合に第２記憶領域へのコピーを開始するので、第１記憶領域及び第２記憶領域に記憶させるデータの信頼性を向上させることが可能となる。
【００１６】
本発明に係る記憶装置は、前記第２記憶領域に記憶してあるデータに係る情報を記憶する情報記憶手段と、前記第２記憶処理手段がデータを第２記憶領域に記憶させた場合、該データに係る情報を前記情報記憶手段に記憶させる処理を行なう手段とを備えることを特徴とする。
【００１７】
本発明によれば、外部装置からのアクセスが不可能な第２記憶領域に記憶してあるデータに係る情報を情報記憶手段に記憶しており、第１記憶領域に記憶されたデータを第２記憶領域にコピーした場合、該データに係る情報を前記情報記憶手段に記憶させる。よって、第２記憶領域に記憶してあるデータと共に各データに係る情報も管理することが可能となる。
【００１８】
本発明に係る記憶方法は、データを記憶する記憶手段と、外部装置との接続を行ない、外部装置からの前記記憶手段へのアクセスを受け付ける接続部とを備える記憶装置が、前記接続部が受け付けたアクセスに従って前記記憶手段に対してデータの読み書きを行なう記憶方法において、前記記憶手段は、第１記憶領域及び外部装置からのアクセスが不可能な第２記憶領域を有しており、前記記憶装置が、前記接続部を介して外部装置からデータを取得するステップと、前記記憶装置が、取得したデータを前記第１記憶領域に記憶させる処理を行なうステップと、前記記憶装置が、前記接続部を介した外部装置との接続状態を検知するステップと、前記記憶装置が、外部装置との切断を検知した場合、前記第１記憶領域に記憶されたデータを前記第２記憶領域に記憶させるステップとを含むことを特徴とする。
【００１９】
本発明によれば、外部装置からデータを取得した場合、取得したデータを第１記憶領域に一旦記憶させた後、外部装置との接続状態を検知し、外部装置との切断を検知した場合、第１記憶領域から外部装置からのアクセスが不可能な第２記憶領域にデータをコピーする。よって、外部装置からのアクセスが禁止されている第２記憶領域内のデータを確実に管理することが可能となる。
【発明の効果】
【００２０】
本発明の記憶装置では、データを記憶する記憶手段に、外部装置からのアクセスが可能な第１記憶領域と、外部装置からのアクセスが不可能な第２記憶領域とを設け、外部装置から取得したデータを一旦第１記憶領域に記憶させた後に、第１記憶領域から第２記憶領域にコピーする。このように外部装置からアクセスできない第２記憶領域に対しては外部装置からのデータの読み書きが禁止されるので、第２記憶領域内のデータを確実に管理することができる。
【００２１】
本発明の記憶装置では、第１記憶領域と第２記憶領域とをそれぞれ異なる記憶手段とすることにより、第１記憶領域に対するデータの読み書きと第２記憶領域に対するデータの読み書きとをそれぞれ独立して行なうことができるので、第１記憶領域内及び第２記憶領域内のデータの信頼性と共に、外部装置からのアクセスが不可能な第２記憶領域におけるデータ管理の信頼性を向上させることができる。
【００２２】
本発明の記憶装置では、外部装置から取得したデータが第１記憶領域に記憶された場合、該データが第２記憶領域に記憶可能であるか否かを予め設定された判断基準に基づいて判断し、前記データが第２記憶領域に記憶可能である場合にのみ前記データを第２記憶領域に記憶させる。よって、外部装置からアクセスできない第２記憶領域に記憶できるデータを制限することにより、第２記憶領域内のデータを確実に管理することができる。
【００２３】
本発明の記憶装置では、外部装置との接続が切断された場合にのみ第１記憶領域に記憶されたデータを第２記憶領域に記憶させることにより、第１記憶領域に対するデータの読み書きが確実に終了した場合にのみ第２記憶領域へのコピーを開始するので、第１記憶領域内及び第２記憶領域内のデータの信頼性を向上させることができる。
【００２４】
本発明の記憶装置では、第１記憶領域に記憶されたデータを第２記憶領域にコピーした場合、該データに係る情報を情報記憶手段に記憶させることにより、外部装置からのアクセスが不可能な第２記憶領域に記憶してあるデータと共に各データに係る情報も管理することができる。これにより、各データを各データに係る情報に従って管理することができ、例えば、第２記憶領域から各データを読み出す際に各データに係る情報を利用することができる。
【００２５】
本発明の記憶方法では、外部装置から取得したデータを第１記憶領域に一旦記憶させた後、外部装置との接続状態を検知し、外部装置との切断を検知した場合、第１記憶領域から外部装置からのアクセスが不可能な第２記憶領域にデータをコピーする。よって、外部装置からのアクセスが禁止されている第２記憶領域内のデータを確実に管理することができる。
【発明を実施するための最良の形態】
【００２６】
以下に、本発明に係る記憶装置をその実施形態を示す図面に基づいて詳述する。なお、以下の実施形態で示す記録装置は、例えば、ＰＣから取得した音楽データを記録媒体に記録し、必要に応じて音声出力する携帯型音楽プレーヤ（以下、音楽プレーヤという）であり、記録媒体にハードディスク装置を用いている。
【００２７】
（実施形態１）
図１は実施形態１に係る音楽プレーヤの構成例を示すブロック図である。本実施形態１の音楽プレーヤ１は、制御部１０、ＲＯＭ１１、ＲＡＭ１２、操作部１３、表示部１４、音声出力部１５、ＵＳＢインタフェース１６、ハードディスクドライブ（以下、ＨＤＤという）１７等を備えており、夫々はバス１０ａを介して相互に接続されている。なお、本実施形態１の音楽プレーヤ１は、ＵＳＢケーブルを介して接続されたＰＣから取得した音楽データをハードディスクに記憶させる構成とする。
【００２８】
制御部１０は、ＣＰＵ（Central Processing Unit ）又はＭＰＵ（Micro Processor Unit）等で構成されており、バス１０ａを介して接続されている上述したようなハードウェア各部を制御すると共に、ＲＯＭ１１に予め格納されている制御プログラムを適宜ＲＡＭ１２に読み出して実行する。ＲＯＭ１１には、音楽プレーヤ１を本発明に係る記憶装置として動作させるために必要な種々の制御プログラム、表示部１４で表示させるメニュー画像等の各種データが予め記憶されている。ＲＡＭ１２は、ＳＲＡＭ又はフラッシュメモリ等で構成され、制御部１０による制御プログラムの実行時に発生するデータを一時的に記憶する。
【００２９】
操作部１３は、ユーザが音楽プレーヤ１を操作するために必要な各種のファンクションキーを備えており、ユーザにより各キーが操作された場合、操作されたキーに対応した制御信号を制御部１０へ送出する。これにより、制御部１０はユーザの指示に従った各種処理を実行することができる。表示部１４は、例えば液晶表示パネルで構成されており、ＲＯＭ１１に予め記憶してあるメニュー画像、音楽プレーヤ１の動作状態、操作部１３を通じて入力された各種の情報等の表示を行なう。
【００３０】
ＵＳＢインタフェース（接続部）１６は、ＵＳＢケーブルとの接続を行なうためのインタフェースであり、ＵＳＢケーブルを介した外部のＰＣとの接続を行ない、ＰＣからのアクセスを受け付ける。ＨＤＤ１７は、ハードディスク（ＨＤ）１８を内蔵しており、ＵＳＢインタフェース１６を介して外部のＰＣから取得した音楽データをＨＤ（記憶手段）１８へ出力し、それぞれファイル単位で記憶させる。なお、音楽プレーヤ１がＰＣから取得する音楽データには、この音楽データのアーティスト、ジャンル、曲名等の音楽情報も含まれている。
【００３１】
音声出力部１５は、ＨＤ１８に記憶してある音声データに基づく音声を出力するように構成されており、音声デコーダ、Ｄ／Ａ変換器、アナログ増幅器及びスピーカ（全て図示せず）等を備えている。音声出力部１５は、制御部１０による制御に従ってＨＤＤ１７がＨＤ１８から読み出した音声データを音声デコーダでデジタルの音声信号にデコードし、生成した音声信号をＤ／Ａ変換器でアナログ信号に変換し、アナログ増幅器によって所定の大きさに増幅させた後にスピーカから再生出力する。なお、本実施形態の音声デコーダは、ＭＰ３フォーマットの音声データを音声信号に復号化伸長するデコーダとする。
【００３２】
ここで、本実施形態１では、ＨＤ１８の記憶領域は１つのパーティションであり、ＨＤＤ１７によってＨＤ１８の全領域に対する読み書きを行なう構成であるが、ＨＤＤ１７は、ＨＤ１８のアドレスによってＨＤ１８の記憶領域を第１記憶領域１８ａと第２記憶領域１８ｂとに分割して管理している。具体的には、制御部１０からの制御に従って、ＨＤＤ１７は、ＵＳＢインタフェース１６を介したＰＣからの第１記憶領域１８ａへのアクセスを許可しているが、ＵＳＢインタフェース１６を介したＰＣからの第２記憶領域１８ｂへのアクセスを許可していない。
【００３３】
即ち、ＰＣのユーザは、ＵＳＢケーブルを介して音楽プレーヤ１をＰＣに接続した場合に、ＨＤ１８の第１記憶領域１８ａに対する音楽データの読み書きはできるが、第２記憶領域１８ｂに対する音楽データの読み書きはできない。従って、ＰＣから音楽プレーヤ１に音楽データをダウンロードする場合、制御部（取得手段）１０は、ＵＳＢインタフェース１６を介して取得した音楽データを、ＨＤＤ（第１記憶処理手段）１７によって一旦ＨＤ１８の第１記憶領域１８ａに記憶させ、その後、第１記憶領域１８ａに記憶された音楽データをＨＤＤ（第２記憶処理手段）１７によって第２記憶領域１８ｂにコピーさせる。
【００３４】
なお、本実施形態１では、ＨＤ１８に対する音楽データの読み書きを１つのＨＤＤ１７によって行なっており、ＨＤ１８に記憶させたデータの信頼性を向上させるために、ＵＳＢケーブルを介してＰＣに接続されていた音楽プレーヤ１がＰＣから切断された場合にのみ、第１記憶領域１８ａに記憶された音楽データの第２記憶領域１８ｂへのコピーを開始する。また、音楽プレーヤ１は、ＭＰ３フォーマットの音声データを音声出力部１５によって再生させることができるので、第２記憶領域１８ｂに記憶できる音楽データをＭＰ３フォーマットの音声データに制限している。
【００３５】
具体的には、制御部１０は、ＵＳＢインタフェース１６に接続されたＵＳＢケーブルを介したＰＣとの接続状態を検知する検知手段として動作している。また、第２記憶領域１８ｂに記憶可能なデータであるか否かを示す判断基準、ここではＭＰ３フォーマットの音楽データであるか否かの判断基準が予めＲＯＭ１１に格納されている。従って、制御部１０は、ＰＣとの接続が切断されたことを検知した場合、この時点でＰＣからＨＤ１８の第１記憶領域１８ａにダウンロードされていた音楽データがＭＰ３フォーマットであるか否かを判断し、ＭＰ３フォーマットである場合に、第１記憶領域１８ａにダウンロードされた音楽データを第２記憶領域１８ｂにコピーする。
【００３６】
このように音楽プレーヤ１によっては再生できないフォーマットのデータを第２記憶領域１８ｂに記憶させないことにより、第２記憶領域１８ｂ内のデータの管理を容易にし、第２記憶領域１８ｂに記憶させたデータの信頼性をより向上させることができる。また、ＨＤ１８の第２記憶領域１８ｂに記憶してある全ての音声データを音声出力部１５から再生させることが可能となる。
【００３７】
ここで、制御部１０は、ＨＤ１８の第１記憶領域１８ａの音楽データを第２記憶領域１８ｂにコピーする場合、必要に応じて第２記憶領域１８ｂにフォルダを作成する。例えば、各フォルダ内に格納できるファイルの数を予め設定しておき、ＨＤＤ１７が第１記憶領域１８ａ内の各音楽データを順次第２記憶領域１８ｂにコピーする際に、フォルダ内のファイル数が所定数以上となった場合に新たなフォルダを作成し、作成したフォルダに次の音楽データのコピーを行なう。なお、第１記憶領域１８ａの音楽データの第２記憶領域１８ｂへのコピー処理については、上述した処理に限定されない。
【００３８】
上述した構成の音楽プレーヤ１は、ＨＤ１８の第２記憶領域１８ｂに記憶してある音楽データを音声出力部１５から再生させる場合、アーティスト又はジャンル等に基づいてユーザが音楽データを選択できるように構成されている。従って、制御部１０は、ＨＤＤ１７によってＨＤ１８の第１記憶領域１８ａの音楽データを第２記憶領域１８ｂにコピーする際に、各音楽データに含まれている音楽情報を抽出し、図２に示すような音楽データベース（以下、音楽ＤＢという）を作成する。なお、作成された音楽ＤＢは、ＨＤＤ１７によってＨＤ１８の第２記憶領域（情報記憶手段）１８ｂに記憶される。
【００３９】
音楽ＤＢには、図２に示すように、ＨＤ１８の第２記憶領域１８ｂに記憶された音楽データ毎に、アーティスト、ジャンル、曲名、ファイル名、及び第２記憶領域１８ｂにおける記録領域等が登録されている。なお、音楽ＤＢは、ＨＤＤ１７によってＨＤ１８の第１記憶領域１８ａに記憶された音楽データが第２記憶領域１８ｂにコピーされる都度、制御部１０によって更新される。
【００４０】
このような音楽ＤＢを管理することにより、音楽プレーヤ１は、音楽データを再生させる際に図３（ａ）に示すような選択画面を表示部１４に表示させることができる。図３（ａ）に示す選択画面は、再生させる音楽データをアーティスト、ジャンル、アルバム又は登録リストのいずれから選択するかの指示をユーザに促しており、ユーザは、操作部１３の上下キー（図示せず）によって所望の項目を選択し、決定キー（図示せず）によって所望の項目を確定することができる。図３（ａ）では「アーティスト」が選択されており、ユーザによってアーティストが選択された場合、制御部１０は、図３（ｂ）に示すような画面を表示部１４に表示させる。
【００４１】
図３（ｂ）に示す画面は、音楽プレーヤ１が記憶する音楽データの各アーティストを表示しており、再生させる音楽データのアーティストの選択をユーザに促している。図３（ｂ）では「アーティスト１」が選択されており、ユーザによってアーティスト１が選択された場合、制御部１０は、図３（ｃ）に示すような、アーティスト１として音楽プレーヤ１に記憶してある音楽データの曲名を表示し、再生させる音楽データの選択をユーザに促す。図３（ｃ）では「曲名１」が選択されており、ユーザによって曲名１が選択された場合、制御部１０は、対応する音楽データをＨＤＤ１７によってＨＤ１８の第２記憶領域１８ｂから読み出し、音声出力部１５によって音声再生させると共に、図３（ｄ）に示すように、音楽を再生中である旨を示す画面を表示部１４に表示させる。これにより、ユーザは、音楽プレーヤ１で再生させる音楽データを容易に選択することができる。
【００４２】
以下に、上述した構成の音楽プレーヤ１にＰＣから音楽データをダウンロードする際の処理について説明する。図４は実施形態１に係る音楽プレーヤ１による音楽データの記憶処理の手順を示すフローチャートである。なお、処理手順は一例でありこれに限るものではない。また、以下の処理は、ＲＯＭ１１に予め格納してある制御プログラムに従って制御部１０が実行する。
【００４３】
ＵＳＢケーブルを介して外部のＰＣに接続されている音楽プレーヤ１において、制御部１０は、ＰＣからのＨＤ１８の第２記憶領域１８ｂへのアクセスを禁止しつつ、ＨＤ１８の第１記憶領域１８ａへのアクセスを受け付けたか否かを判断している（Ｓ１）。制御部１０は、第１記憶領域１８ａへのアクセスを受け付けていない場合（Ｓ１：ＮＯ）、待機しており、第１記憶領域１８ａへのアクセスを受け付けた場合（Ｓ１：ＹＥＳ）、ＵＳＢインタフェース１６を介してＰＣから取得した音楽データをＨＤＤ１７によってＨＤ１８の第１記憶領域１８ａに記憶させる（Ｓ２）。
【００４４】
制御部１０は、ＵＳＢインタフェース１６に接続されたＵＳＢケーブルを介したＰＣとの接続状態を検知しており、ＰＣとの接続が切断されたか否かを判断する（Ｓ３）。制御部１０は、ＰＣとの接続が切断されていないと判断した場合（Ｓ３：ＮＯ）、ステップＳ１へ処理を戻し、ＰＣからのアクセスに従ってＨＤＤ１７によってＨＤ１８の第１記憶領域１８ａに対する音楽データの読み書きを実行する。
【００４５】
制御部１０は、ＰＣとの接続が切断されたと判断した場合（Ｓ３：ＹＥＳ）、この時点で第１記憶領域１８ａに、第２記憶領域１８ｂで記憶可能な音楽データ、即ちＭＰ３フォーマットの音楽データが記憶されているか否かを判断する（Ｓ４）。制御部１０は、ＭＰ３フォーマットの音楽データが無いと判断した場合（Ｓ４：ＮＯ）、処理を終了し、ＭＰ３フォーマットの音楽データが有ると判断した場合（Ｓ４：ＹＥＳ）、第１記憶領域１８ａに記憶してあるＭＰ３フォーマットの音楽データを第２記憶領域１８ｂにコピーする（Ｓ５）。また、制御部１０は、第２記憶領域１８ｂにコピーした音楽データから音楽情報を抽出し（Ｓ６）、抽出した音楽情報をＨＤＤ１７によって第２記憶領域１８ｂ内の音楽ＤＢに登録する（Ｓ７）。
【００４６】
上述したように音楽プレーヤ１が有するＨＤ１８において、外部のＰＣからのアクセスを禁止する第２記憶領域１８ｂを設けることにより、第２記憶領域１８ｂに対してはＰＣからのデータの読み書きが行なわれないので、制御部１０が第２記憶領域１８ｂ内のデータを確実に管理できる。
【００４７】
上述した実施形態１では、本発明の記憶装置を音楽プレーヤ１に適用した例について説明したが、例えば、音楽データをダウンロードできる携帯電話器、ＰＤＡ等の携帯端末装置においても本発明を適用することができる。また、音楽データを扱う装置に限られず、例えば、文字データを扱う電子書籍装置、画像データ及び音楽データを扱う映像プレーヤ等においても本発明を適用することができる。
【００４８】
（実施形態２）
以下に、本発明に係る記憶装置を、実施形態２の音楽プレーヤ１に基づいて詳述する。図５は実施形態２に係る音楽プレーヤの構成例を示すブロック図である。なお、実施形態２の音楽プレーヤ１は、上述した実施形態１の音楽プレーヤ１と同様の構成であり、同一の構成については同一の符号を付して説明を省略する。具体的には、本実施形態２の音楽プレーヤ１は、制御部１０、ＲＯＭ１１、ＲＡＭ１２、操作部１３、表示部１４、音声出力部１５を備えている。
【００４９】
また、本実施形態２の音楽プレーヤ１は、上述したハードウェアのほかに、ＬＡＮインタフェース１９、第１ＨＤＤ２０及び第２ＨＤＤ２２等を備えており、夫々はバス１０ａを介して相互に接続されている。ＬＡＮインタフェース（接続部）１９は、ＬＡＮに接続するためのインタフェースであり、ＬＡＮを介した外部のＰＣとの接続を行ない、ＰＣからのアクセスを受け付ける。
【００５０】
第１ＨＤＤ２０は、第１ＨＤ２１を内蔵しており、第１ＨＤ２１に対する音楽データの読み書きを行なう。同様に、第２ＨＤＤ２２は、第２ＨＤ２３を内蔵しており、第２ＨＤ２３に対する音楽データの読み書きを行なう。なお、第１ＨＤ２１及び第２ＨＤ２３には、ＬＡＮインタフェース１９を介して外部のＰＣから取得した音楽データがそれぞれファイル単位で記憶される。また、各音楽データには、この音楽データのアーティスト、ジャンル、曲名等の音楽情報も含まれている。
【００５１】
ここで、本実施形態２の音楽プレーヤ１では、ＬＡＮインタフェース１９を介したＰＣからの第１ＨＤ２１へのアクセスを許可しているが、ＬＡＮインタフェース１９を介したＰＣからの第２ＨＤ２３へのアクセスを禁止している。即ち、ＰＣのユーザは、ＬＡＮを介して音楽プレーヤ１をＰＣに接続した場合に、第１ＨＤ２１に対する音楽データの読み書きはできるが、第２ＨＤ２３に対する音楽データの読み書きはできない。
【００５２】
従って、ＬＡＮを介してＰＣから音楽プレーヤ１に音楽データをダウンロードする場合、制御部１０は、ＬＡＮインタフェース１９を介して取得した音楽データを、第１ＨＤＤ（第１記憶処理手段）２０によって一旦第１ＨＤ（第１記憶領域）２１に記憶させ、その後、第１ＨＤ２１に記憶された音楽データを第２ＨＤＤ（第２記憶処理手段）２２によって第２ＨＤ（第２記憶領域）２３にコピーさせる。
【００５３】
上述したように本実施形態２の音楽プレーヤ１は、第１ＨＤ２１及び第２ＨＤ２３に対する音楽データの読み書きをそれぞれ異なる第１ＨＤＤ２０及び第２ＨＤＤ２２によって行なっているため、実施形態１で示したように、外部のＰＣからのアクセスが可能な第１ＨＤ２１から、外部のＰＣからのアクセスが禁止されている第２ＨＤ２３への音楽データのコピーを行なうタイミングを、ＰＣとの接続が切断された後に制限する必要がない。従って、音楽プレーヤ１がＬＡＮを介してＰＣに接続された状態であっても、第１ＨＤ２１内の音楽データの第２ＨＤ２３へのコピーを開始することができる。
【００５４】
なお、音楽プレーヤ１は、ＭＰ３フォーマットの音声データを音声出力部１５によって再生させることができ、第２ＨＤ２３の記憶領域を有効に用いるために、第２ＨＤ２３に記憶できる音楽データはＭＰ３フォーマットの音声データに制限されている。また、第１ＨＤ２１の音楽データを第２ＨＤ２３にコピーする場合、制御部１０は、必要に応じて第２ＨＤ２３にフォルダを作成し、作成したフォルダ内に順次音楽データを記憶させる。更に、本実施形態２の音楽プレーヤ１も、第２ＨＤ２３に記憶してある音楽データを音声出力部１５から再生させる場合、アーティスト又はジャンル等に基づいてユーザが音楽データを選択できるように構成されており、図２に示すような音楽ＤＢを第２ＨＤ（情報記憶手段）２３に格納してある。
【００５５】
以下に、上述した構成の音楽プレーヤ１にＰＣから音楽データをダウンロードする際の処理について説明する。図６は実施形態２に係る音楽プレーヤ１による音楽データの記憶処理の手順を示すフローチャートである。なお、処理手順は一例でありこれに限るものではない。また、以下の処理は、ＲＯＭ１１に予め格納してある制御プログラムに従って制御部１０が実行する。
【００５６】
ＬＡＮを介して外部のＰＣに接続されている音楽プレーヤ１において、制御部１０は、ＰＣからの第２ＨＤ２３へのアクセスを禁止しつつ、第１ＨＤ２１へのアクセスを受け付けたか否かを判断している（Ｓ１１）。制御部１０は、第１ＨＤ２１へのアクセスを受け付けた場合（Ｓ１１：ＹＥＳ）、ＬＡＮインタフェース１９を介してＰＣから取得した音楽データを第１ＨＤＤ２０によって第１ＨＤ２１に記憶させ（Ｓ１２）、第１ＨＤ２１へのアクセスを受け付けていない場合（Ｓ１１：ＮＯ）、音楽データの記憶処理を終了する。
【００５７】
制御部１０は、ＰＣから取得した音楽データの第１ＨＤＤ２０による第１ＨＤ２１への記憶が完了したか否かを判断しており（Ｓ１３）、完了していないと判断した場合（Ｓ１３：ＮＯ）、音楽データの第１ＨＤ２１への記憶処理を継続する（Ｓ１２）。制御部１０は、音楽データの第１ＨＤ２１への記憶が完了したと判断した場合（Ｓ１３：ＹＥＳ）、この時点で第１ＨＤ２１に、第２ＨＤ２３で記憶可能な音楽データ、即ちＭＰ３フォーマットの音楽データが記憶されているか否かを判断する（Ｓ１４）。
【００５８】
制御部１０は、ＭＰ３フォーマットの音楽データが無いと判断した場合（Ｓ１４：ＮＯ）、ステップＳ１１へ処理を移行し、ＰＣからのアクセス待ち状態となる。また、制御部１０は、ＭＰ３フォーマットの音楽データが有ると判断した場合（Ｓ１４：ＹＥＳ）、第１ＨＤ２１に記憶してあるＭＰ３フォーマットの音楽データを第１ＨＤＤ２０によって読み出し、第２ＨＤＤ２２によって第２ＨＤ２３にコピーする（Ｓ１５）。更に、制御部１０は、第２ＨＤ２３にコピーした音楽データから音楽情報を抽出し（Ｓ１６）、抽出した音楽情報を第２ＨＤＤ２２によって第２ＨＤ２３内の音楽ＤＢに登録する（Ｓ１７）。
【００５９】
上述したように音楽プレーヤ１が有する記録媒体において、外部のＰＣからのアクセスを禁止する第２ＨＤ２３を設けることにより、第２ＨＤ２３に対してはＰＣからのデータの読み書きが行なわれないので、制御部１０が第２ＨＤ２３内のデータを確実に管理できる。また、第１ＨＤ２１及び第２ＨＤ２３に対するデータの読み書きをそれぞれ独立して行なうことにより、第１ＨＤ２１内及び第２ＨＤ２３内のそれぞれに記憶されるデータの信頼性を向上させることができる。
【００６０】
上述した実施形態２では、記録媒体として２つの第１ＨＤＤ２０及び第２ＨＤＤ２２を備えた構成について説明したが、３つ以上のＨＤＤを備えた構成とすることもできる。この場合、ＨＤＤのそれぞれを、ＰＣからのアクセスが可能なＨＤＤ、又はＰＣからのアクセスが不可能なＨＤＤに設定することにより同様の効果を得ることができる。
【００６１】
また、１つのＨＤに対して複数のパーティションを設けた構成とすることもでき、それぞれ分割されたパーティションを、ＰＣからのアクセスが可能な領域、又はＰＣからのアクセスが禁止される領域に設定することにより同様の効果を得ることができる。なお、それぞれ分割されたパーティションに対しては異なるＨＤＤによってデータの読み書きを行なうことができるため、実施形態１で示したように、外部のＰＣからのアクセスが可能な領域から、外部のＰＣからのアクセスが禁止されている領域への音楽データのコピーを行なうタイミングを、ＰＣとの接続が切断された後に制限する必要がない。
【００６２】
更に、上述した実施形態２では、音楽プレーヤ１がＬＡＮを介してＰＣと接続される構成について説明したが、例えば、ＵＳＢケーブル、ＩＥＥＥ１３９４規格に従ったケーブル等を介してＰＣと接続される構成であってもよい。また、赤外線を利用するＩｒＤＡ（Infrared Data Association）規格、Ｂｌｕｅｔｏｏｔｈ規格等の無線ＬＡＮを介してＰＣとデータの送受信が可能な構成であってもよい。なお、上述した実施形態２における音楽プレーヤ１においても、上述の実施形態１で説明した変形例と同様の変形例の適用が可能である。
【図面の簡単な説明】
【００６３】
【図１】実施形態１に係る音楽プレーヤの構成例を示すブロック図である。
【図２】音楽データベースの構成例を示す模式図である。
【図３】表示部に表示される画面例を示す模式図である。
【図４】実施形態１に係る音楽プレーヤによる音楽データの記憶処理の手順を示すフローチャートである。
【図５】実施形態２に係る音楽プレーヤの構成例を示すブロック図である。
【図６】実施形態２に係る音楽プレーヤによる音楽データの記憶処理の手順を示すフローチャートである。
【符号の説明】
【００６４】
１  音楽プレーヤ（記憶装置）
１０  制御部（取得手段、検知手段）
１６  ＵＳＢインタフェース（接続部）
１７  ＨＤＤ（第１記憶処理手段、第２記憶処理手段）
１８  ＨＤ（記憶手段）
１８ａ  第１記憶領域
１８ｂ  第２記憶領域（情報記憶手段）
１９  ＬＡＮインタフェース（接続部）
２０  第１ＨＤＤ（第１記憶処理手段）
２１  第１ＨＤ（第１記憶領域）
２２  第２ＨＤＤ（第２記憶処理手段）
２３  第２ＨＤ（第２記憶領域、情報記憶手段）
【図１】
2006227920.tif 000003
【図２】
2006227920.tif 000004
【図３】
2006227920.tif 000005
【図４】
2006227920.tif 000006
【図５】
2006227920.tif 000007
【図６】
2006227920.tif 000008